(57)【要約】      （修正有）【課題】ヴァーチャルな機能の総体としての電子機器にふさわしい入力方式を提供する。【解決手段】英文（数字）和文切り替え鍵と→を同時に打鍵すると、現在設定されているコマンド表と同レベルのコマンド表に等位移動し、英文（数字）和文切り替え鍵と←を同時に打鍵すると、直前に設定されていた現在設定されているコマンド表と同レベルのコマンド表に等位帰還し、和文切り替え鍵と↑を同時に打鍵すると、現在設定されているコマンド表の上のレベルのコマンド表にもどり、和文切り替え鍵と↓を同時に打鍵すると強制終了する。【選択図】図１
2019146138.tif 000002
【特許請求の範囲】
【請求項１】
鍵盤入力のパーソナルコンピューター等の電子機器において、入力すべきヴァーチャルなコマンドを、１鍵に１コマンドを設定した現実の鍵盤の形で画面に表示し、その鍵に対応する現実の鍵盤の鍵を打鍵することによって、そのコマンドを入力するように設定した鍵盤入力電子機器の入力方式。
【発明の詳細な説明】
【技術分野】
【０００１】本発明は、鍵盤入力電子機器の鍵盤の入力方式の構成に関するものである。
【背景技術】
【０００２】現在、パーソナルコンピューターや携帯電話等の鍵盤入力電子機器は、半導体技術の飛躍的発展によって、以前のスーパーコンピューターに匹敵するきわめて高度の機能を持つにいたった。【０００３】したがって、これらの鍵盤入力電子機器においては、以前のスーパーコンピューターと同様に、高度の文字、記号の入力機能や編集機能、あるいはインターネットへの接続にふさわしい操作性が求められている。【０００４】しかし、現在の鍵盤入力電子機器の入力方式は、こうした要求に十分に対応するものではない。【０００５】現在の一般的なパーソナルコンピューターの入力は鍵盤を通じて行われるが、その鍵盤の構成原理あるいは設計思想は、基本的に機械式のタイプライターの段階のそれの水準を出ていない。【０００６】一般的に言って、パーソナルコンピューターの鍵盤は、字母記号入力機能を担う字母入力鍵と、入力されたあるいは入力されるべき内容に一定の形態あるいは機能を与える指示の機能を持つコマンド鍵から成り立っている。【０００７】まず、直接的な字母入力鍵の状況についてみれば、現行のパーソナルコンピューターの鍵盤は、アルファベット字母あるいは仮名文字等を入力する鍵およびその他の主として文章記号を入力する鍵、合わせて３行１０列３０個プラス８個の字母記号入力鍵、１０個の数字入力鍵、合計４８個の広義の字母入力鍵を持っている。【０００８】これらの広義の字母入力鍵は、機械式のタイプライターと同様に、１個の鍵を一回打鍵することで１個の字母を入力する。【０００９】これらの鍵は、シフト鍵と併用することによって、大文字、小文字やアルファベットや平仮名等の書き分けができるが、そのような機能は機械式のタイプライターの段階にあっても、たとえば大文字と小文字の書き分けのような形で行われていた方式を継承したものにすぎない。【００１０】また、疑問符？や感嘆符！のように、文章には滅多に現れない記号も頻繁に出現する五十音やアルファベットと同位の格付けを得ているし、逆に、これらの鍵盤上に設定できない膨大な記号については、頭から順に呼び出して選択する手順が設定されているので、１回につき２０個の記号一覧を呼び出すとしても、たとえば１０００番目に設定された記号を呼び出すためには、５０回の呼び出し操作が必要になって、煩に耐えない。【００１１】実用化されていない先行技術においては、字母記号入力のためのヴァーチャルな鍵盤を呼び出すことによって、この問題に一定の解決を与えているが、その鍵盤構成は素朴な段階に止まっている。【００１２】一方、これらの字母の操作や入力操作全般に関わるコマンド鍵としては、一般的なパーソナルコンピューターの場合、Ｆ１からＦ１２までの鍵、ＥＮＴＥＲ，ＳＨＦＴ、ＡＬＴ、ＣＴＲＬ、ＴＡＢ，ＥＳＣ、ＢＡＣＫＳＰＡＣＥ等の約３５個の鍵が置かれている。【００１３】これらのコマンド鍵は、基本的に１鍵に１機能が設定されているので、鍵盤によるコマンドの実現の範囲はきわめて狭い。【００１４】そこで、コマンドの種類を増やすために、いわゆるショートカット鍵が使用される。【００１５】たとえば、ＣＴＲＬ鍵とＰ鍵を押して印刷を指示し、ＣＴＲＬ鍵とＺ鍵を押して直前に行った動作を取り消すことを指示する。【００１６】これは、現実にある鍵の機能を利用するという機械式設計思想の延長上に位置する設計であり、たとえば、ＣＴＲＬ鍵とＰＲＩＮＴの頭文字Ｐ鍵を押して印刷を指示し、ＣＴＲＬ鍵とアルファベットの最後の字母Ｚ鍵を押して直前に行った動作を取り消すことを指示するのである。【００１７】これらのショートカット鍵は、たとえば、画面でのコマンドの操作が現在ほど優越していなかった時期に発行された秀和システムの「マイクロソフトワードＷＯＲＤ２００３ユーザ便利帳」（秀和システム、２００４．１２．８）によれば、ＡＬＴ鍵とその他の１鍵との組み合わせが１３例、２鍵との組み合わせが２０例、ＣＴＲＬ鍵とその他の１鍵との組み合わせが４０例、２鍵との組み合わせが２７例、ＳＨＩＦＴ鍵とその他の１鍵との組み合わせが１鍵盤１８例、合計１１８例になる。【００１８】これらのショートカット鍵のなかで、先に見たＣＴＲＬ鍵とＰ鍵の組み合わせの場合や、ＣＴＲＬ鍵とＺ鍵との組み合わせの場合では、組み合わせと鍵の機能の間に一定こじつけ的な関連があるが、これらの一種のこじつけは全面的には有効ではないので、ショートカット鍵の全面的な使用は一部のプロに限られているというのが現状である。【００１９】このように、現行の鍵盤入力パーソナルコンピューターによるコマンドの入力は複雑困難であり、しかも多くの重要なコマンドを画面入力方式に頼っているが、その原因は、旧来の機械式タイプライターの段階から設計思想が革新されていない点に求められる。【００２０】本発明は、鍵盤入力パーソナルコンピューターに対して、新しいコマンド入力の体系を提示してこれらの困難を解決しようとするものであるが、同時に、この新しい発明を通じて、３行５列等の小型の鍵盤を持つ鍵盤入力電子機器の字母入力とコマンドの設定に対して、新しい次元の条件を提供し、これらの小型電子機器の実用性を大きく高めようとするものである。
【先行技術文献】
【特許文献１】ＷＯ  ２０１０／１３１７５９
【特許文献２】特願２００７−２５８０５９
【特許文献３】特願２０１０−２９４７２８
【特許文献４】特願２０１３−０９７１６９
【特許文献５】特願２０１３−１５１０３９
【特許文献６】特願２０１４−０４４３９０
【特許文献７】特願２０１４−１２７６９１
【特許文献８】特願２０１４−２１６６７１
【特許文献９】特願２０１６−１１８３４７
【発明の概要】
【発明が解決しようとする問題】
【００２１】本発明の眼目は、鍵盤入力電子機器の入力に於いて、旧来の機械式の限界を超えて、現今の鍵盤入力電子機器の機能と能力にふさわしい鍵盤を設計することにある。
【００２２】より具体的に言えば、ヴァーチャルな鍵盤を立体的に構成することによって、ヴァーチャルな機能の総体としての電子機器にふさわしい入力環境を作ることが目的である。
【００２３】まず、字母、記号の入力に関しては、膨大な字母、記号の総体を、重層的に構成した字母記号鍵盤の体系を作り、これらの鍵盤を呼び出すためのコマンド鍵（字母シフトコマンド鍵）を設定する。
【００２４】
2019146138.tif 000003
等の広義の字母記号の入力のためのヴァーチャルな鍵盤を呼び出すためのコマンド鍵（文系字母シフトコマンド鍵）と、いわば理系記号すなわち＋−×÷＝≒等の広義の数理記号の入力のためのヴァーチャルな鍵盤を呼び出すためのコマンド鍵（理系字母シフトコマンド鍵）とを設定することもできる。
【００２５】パーソナルコンピューターの鍵盤に、ここで言う文系記号を呼び出すコマンド鍵を設定した場合、この鍵を１打すれば、たとえば３行１０列のヴァーチャルな鍵盤
2019146138.tif 000004
の３０種の記号を呼び出すことができるように設定することができる。
【００２６】そして、このヴァーチャルな鍵盤に呼び出された３行１０列、合計３０個の記号は、それを画面の余白に通常の形で、あるいは余白とは関係なく半透明の状態で表示することによって、入力者はこの表示に対応する基本鍵盤すなわち現実の鍵盤において、これに対応する位置にある鍵を打鍵することによって、簡単に目的の記号を入力するように設定することができる。
【００２７】この呼び出された鍵盤によって、目的の記号を入力したのちは、鍵盤は自動的に基本的な字母記号入力鍵盤にもどって入力を続けることになるが、この時点で、エンター鍵を打鍵することで再び同じ鍵盤が呼び出されるように設定することによって、同一鍵盤上に置かれた複数の記号を継続して入力することが可能になる。
【００２８】この場合も、呼び出された鍵盤の中の目的の鍵を打鍵すると、鍵盤は自動的に基本的鍵盤にもどるように設定する。
【００２９】この文系記号を呼びすコマンドによって呼び出された記号鍵盤によって、目的の記号を呼び出すことができなかった場合には、引き続きさらにこのコマンド鍵を１打することによって、次の記号鍵盤を呼び出すように設定することができる。
【００３０】こうして、この文系記号を呼び出すコマンド鍵を連続Ｎ打することによって、Ｎ番目の記号鍵盤が呼び出され、この時点で、３０×Ｎの記号のうちのいずれかを選択入力することができる。
【００３１】以上の操作に於いては、各分野にまたがる複数の記号を単純に順次呼び出して行くのであるが、さらに、分野ごとに記号を呼び出す手続きを設定することによって、より早く体系的に記号を呼び出すことができる。
【００３２】たとえば、ｎｕｍ（ｎｕｍｂｅｒ）と打ち込んだあとにこの文系記号を呼び出すコマンド鍵（文系字母シフトコマンド鍵）を打つとＩ、ＩＩ、ＩＩＩ、等の大文字のローマ数字が呼び出され、連続してこの文系記号を呼び出すコマンド鍵を打つと、ｉ、ｉｉ、ｉｉｉ、等の小文字が呼び出され、ｌｅｔ（ｌｅｔｔｅｒ）と打ち込んだ後、この文系記号を呼び出すコマンド鍵を打つと、Α、Β、Γ、Δ等の大文字のギリシャ文字が呼び出され、このコマンド鍵を連続２打すると、α、β、γ、δ等の小文字のギリシャ文字が呼び出されるように設定し、ｗｍ（ｗｅｉｇｈｔｓ  ａｎｄ  ｍｅａｓｕｒｅｓ）と打ち込んだあと、この文系記号を呼び出すコマンド鍵を打つと、ｇ、ｋｇ、ｍｍ、ｃｍ、ｍ、ｋｍ等の日常的に使用する度量衡の単位が呼び出されるように設定する。
【００３３】同様に、ここで言う理系記号を呼び出すコマンド鍵を設定することによって、たとえば、その最初の１打によって、＋、−、×、÷、≒、＝、≠、Ω、Θ、Φ、α、β、γ、δ、∞、≧、＞、≦、＜、≡、∽、▽、∀、∝、∂、∃、∈、∋、∫、∬、等の３０個の記号を呼び出すことができるし、以下同様に、このコマンド鍵の１打ごとに３０個の記号を、そしてＮ回の打鍵によって、３０×Ｎ個の記号を呼び出すことができる。
【００３４】この場合も、文系記号の場合と同様に、たとえば、ｇｅｏ（ｇｅｏｍｅｔｒｙ）と打ち込んだ後に、この理系記号を呼び出すコマンド鍵を打つと、幾何学の記号が、ａｌｇ（ａｌｇｅｂｒａ）と打ち込んだ後に、この理系記号を呼び出すコマンド鍵を打つと代数学の記号が、ｍｅｄ（ｍｅｄｉｃｉｎｅ）と打ち込んだ後に、この理系記号を呼び出すコマンド鍵を打つと医学の記号が、ｃｈｅｍ（ｃｈｅｍｉｓｔｒｙ）と打ち込んだ後に、この理系記号を呼び出すコマンド鍵を打つと、化学の記号が、ｐｈｙｓ（ｐｈｙｓｉｃｓ）と打ち込んだ後に、この理系記号を呼び出すコマンド鍵を打つと、物理学の記号が、ｂｉｏ（ｂｉｏｌｏｇｙ）と打ち込んだ後に、この理系記号を呼び出すコマンド鍵を打つと、生物学の記号が呼び出されるように設定することができる。
【００３５】次に残された課題は、ヴァーチャルな字母記号鍵盤を呼び出すためのコマンド鍵の設定と同様に、各種のコマンドを実現する鍵の集成としてのヴァーチャルなコマンド鍵盤をその呼び出しのためのコマンド鍵によって呼び出して、このコマンド鍵の打鍵によって、各種のコマンドを実現するという課題である。
【００３６】実は、現行の鍵盤入力によるパーソナルコンピューターにおいては、このような構想は実現していないが、画面入力系のシステムを持つパーソナルコンピューターにおいては、画面上にヴァーチャルなコマンド表を設定して、カーソルによって、コマンドを選んで実行させる方式は、すでに高度の段階に達している。
【００３７】本発明は、本質的には画面入力系の画面入力のシステムを、鍵盤システムを通じて実現させようとするものである。
【００３８】画面入力系のシステムは、コマンドを担当するアイテムを画面上に自由に配置して、これをカーソルによって選択実行するというきわめて高度な入力方式を実現させている。
【００３９】いま、あえて鍵盤のシステムによって、類似の入力機構を実現させるのは、鍵盤システムには、一旦習熟すれば入力動作が速く、３行１０列（あるいは４行１０列）の鍵盤のなかの１鍵の選択という、一義的な動作によって入力あるいはコマンドが行われるという利点があるからである。
【００４０】すなわち、鍵盤入力は画面入力に比して、動作が一義的、定型的であるため、入力速度が速く、疲労度が低く、入力に紛れが生じにくいという長所がある。
【００４１】しかし、ヴァーチャルな字母記号入力鍵盤の設定の場合には、呼び出された鍵を１打すると、鍵盤がもとの基本鍵盤にもどるという比較的に簡単な方法で、この目的が実現したが、コマンド鍵の設定の場合には、これとは異種の困難がある。
【００４２】たとえば、新しく設定されたコマンド鍵盤を呼び出すためのコマンド鍵、ここではこの鍵をコマンドシフトコマンド鍵と仮称しておくが、このコマンドシフトコマンド鍵によって呼び出されたコマンド鍵が、ＤＥＬＩＴＥ鍵であった場合は、これを１打したあと基本鍵盤に戻るという設定の場合には、一連の操作で１字母を消すことしかできないし、呼び出されたコマンド鍵が、ＩＮＳＥＲＴ鍵やＣＡＰＳＬＯＣＫ鍵であった場合は、これを１打したあと基本鍵盤に戻るという設定の場合には、このコマンドが一回限りか継続的であるかを指示する必要があるし、継続的に設定した場合は、このコマンドの終了の設計が必要になる。
【００４３】そこで、本発明におけるコマンド鍵は、ＤＥＬＩＴＥ、ＰＡＧＥＤＯＷＮ、ＰＡＧＥＵＰのように、１回限りのコマンドである場合もあればそのコマンドを連続して実現させることが必要な場合もあるようなコマンド、ＩＮＳＥＲＴ、ＣＡＰＳＬＯＣＫ、ＮＵＭＬＯＣＫ等のように、一回出されたコマンドが、複数字母の入力に継続的に有効であり、逆に、そのコマンドの終了が、別の操作を要求する場合もあるコマンド、Ｆ１鍵からＦ１２鍵までの場合、ＥＳＣＡＰＥ鍵や従来ＣＴＲＬ、ＡＬＴ、ＤＥＬＩＴＥの３鍵の共同操作、の場合のように、そのコマンドの実行が、それまでの入力行為の継続ではなく、新しい場面に入り込むようなコマンド、のように、各コマンド鍵の性格に対応した操作体系を構築することによって、この困難を回避する方法を講じることにする。
【００４４】本発明に於いては、コマンドシフトコマンド鍵によって呼び出されたコマンド鍵の場合においても、字母シフトコマンド鍵によって呼び出された字母入力鍵の場合と同様に、呼び出された最終段階のコマンド鍵を１打すると、鍵盤はもとの基本鍵盤にもどるという方法を基本とするが、このコマンドシフトコマンド鍵によって呼び出されたコマンド鍵が、ＤＥＬＩＴＥ鍵であった場合は、これを１打したあとさらに動作を継続するためには、たとえば、そのたびにエンター鍵を打つという形で継続を保証するように設定することができるし、ＩＮＳＥＲＴ鍵やＣＡＰＳＬＯＣＫ鍵であった場合は、これを１打してこのモードに入り、それが終了した時点で、再びこれらの鍵を呼び出して打鍵することによってこのモードを終了するように設定することができる。
【００４５】このコマンドシフトコマンド鍵によって呼び出されたコマンド鍵盤の設計の場合に、もっとも確実な参考となるのは、現在の画面入力電子機器のコマンド体系である。
【００４６】本発明においては、電源を入れると、画面の上部に３行１０列あるいは４行１０列のコマンド鍵盤が現れるように設定する。
【００４７】たとえば、このコマンド鍵盤を４行１０列で設計した場合には、最上行にＦ１からＦ１０までの鍵が示され、第２行から、ワード画面の各コマンドを設定された鍵が現れる。
【００４８】たとえば、この行の左端から、はじめに、ＷＩＮＤＯＷＳ  ＭＥＤＩＡＰＬＡＹＥＲ、電卓、付箋、ＳＮＩＰＰＩＮＧ  ＴＯＯＬ，ＭＩＣＲＯＳＯＦＴ  ＥＸＣＥＬ、ペイント、拡大鏡、の１０鍵が、次行の左端から、ソリティア、すべてのプログラム、管理人、ドキュメント、ピクチャー、ミュージック、ゲーム、コンピューター、コントロールパネル、規定のプログラム、の１０鍵が、最下行に、ヘルプとサポート、の１鍵が置かれる。
【００４９】この最下行には、さらに９鍵を置くことが可能なので、たとえばエクスプローラ、インタネットエクスプローラ、ウィルス対策、ライブラリー、等の鍵や、従来鍵盤入力で用いられてきた各種のコマンド、たとえばＴＡＢ、ＣＡＰＳＬＯＣＫ、ＮＵＭＬＯＣＫ，ＨＯＭＥ、ＥＮＤ，ＩＮＳＥＲＴ，、ＰＡＧＥＤＯＷＮ，ＰＡＧＥＵＰ，等の鍵盤コマンドの鍵を呼び出す鍵盤コマンド鍵や、電子辞書等を常駐させた場合には、この電子辞書を呼び出すための鍵を置くことができる。
【００５０】そして、最初に電源を入れた場合のように、このコマンド鍵盤がＡＣＴＩＶＥな状況の下では、この画面に現れたヴァーチャルな鍵盤に対応する、現実の鍵盤の鍵を打鍵すれば、その鍵に割り当てられた機能が呼び出されるように、設定する。
【００５１】たとえば、この最初に現れた鍵盤で、ＣＯＭＰＵＴＥＲの鍵を打鍵すると、整理、システムのプロパティ、プログラムのアンインストールと変更、ネットワークドライブの割り当て、コントロールパネルを開く、ハードディスクドライブ、データ、リムーバル記憶域があるデバイス、等のコマンドを実行する鍵が現れる。
【００５２】ついで、たとえばここでリムーバル記憶域があるデバイス、を選んで呼び出せば、整理、開く、書き込む、新しいフォルダ、の各鍵とともに、このデバイスに現在保存されているフォルダやファイルを呼び出す鍵が示される。
【００５３】このフォルダやファイルを呼び出す鍵を押すと、２９個あるいは３９個のフォルダやファイルを指定する鍵と次に進むことを選ぶ鍵が示される。
【００５４】ここで、何らかのファイルを選び、あるいはフォルダを選択して最後にファイルにまで行き着いてそのファイルを選んだ場合には、相変わらず、この段階で有用なコマンドとなるコマンド鍵盤が表示されるが、コマンドの入力自体は終わり、字母の入力が始まる。
【００５５】すなわち、この段階では画面の上部には、ファイル、ホーム、挿入、ページレイアウト、参考資料、差し込み文書、校閲、表示、活用しよう！ワード、等のコマンドを乗せた鍵盤が示され、この字母入力の段階でコマンドの入力が必要になった場合には別に設けたコマンド鍵（コマンドシフトコマンド鍵）、を打鍵してコマンド実行の次元に入り、この画面の上部に示されたコマンド鍵盤の中から必要な鍵を選んで打鍵する。
【００５６】たとえば、ホームの鍵を打鍵すれば、クリップボード、フォント、段落、スタイル、等の鍵が現れ、たとえば、そのうちのクリップボードを選べば、切り取り、コピー、書式のコピー、貼り付け、等の鍵盤が現れ、ここではそのコマンドの進行に合わせて、たとえばコピー、貼りつけの２コマンドを同一の鍵盤上で順次入力できる。
【００５７】本発明は、このようにして画面入力電子機器のコマンドを鍵盤システムを通じて実行することによって、その動作の確実性と速度の向上に貢献することができるが、さらにこれを従来の鍵盤入力電子機器と比較した場合には、鍵盤上の鍵数を減らすことを可能にするという利点とともに、小さな鍵盤に複雑な画面入力のコマンド体系を構築するという従来の方式の困難を解消するという利点があり、これは小型の鍵盤入力電子機器の場合には大きな効果を発揮する。
【００５８】そこで、以下、本発明を３行５列の鍵盤においてどのように構成するのかについての設計例を示すことにする。
【００５９】なお、ここでは基本的鍵盤の字母配置としては、特願２０１３−１５１０３９の場合を採用している。
【００６０】この設計例においては、２行５列の数字入力鍵盤、３行５列の字母入力鍵盤、５行２列のコマンド鍵盤、あわせて５行７列の鍵盤を採用しているが、ここでは右手で通常の字母と数字の入力を行うように、３行５列の字母入力部分と２行５列の数字入力部分を鍵盤の右側に、左手でコマンドの入力を行うように、５行２列のコマンド部分を鍵盤の左側に置くようにする。
【００６１】この５行７列の鍵盤を、鍵のサイズ、鍵間距離等を現行のパーソナルコンピューターと全く同じ規格で構成した場合には、縦９．５センチ、横１３．３センチとなるが、これは、現行の電子辞書の一般的規格、縦１０．５センチ、横１４．７センチの枠組みに適合的である。
【００６２】この５行７列の鍵盤の中の５行２列のコマンド鍵盤には、コマンドシフトコマンド鍵、字母シフトコマンド鍵、英文（数字）和文切り替え鍵、ＢＡＣＫＳＰＡＣＥ鍵、→、←、↓、↑、スペース、エンター、の字母入力を行う時にただちに必要な１０個のコマンド鍵を置く。
【００６３】このように、現行の電子辞書の大きさで鍵盤入力電子機器の画面鍵盤を構成する場合には、画面の大きさに限りがあるので、字母等の入力画面と鍵盤画面の関係に対する配慮が必要である。
【００６４】たとえば、字母入力の過程でただちに必要なコマンド鍵は、この１０個にとどまらないので、いくつかのショートカット鍵の技法を採用する。
【００６５】すなわち、ＢＡＣＫＳＰＡＣＥ鍵と↑を同時に押すと画面分割、ＢＡＣＫＳＰＡＣＥ鍵と↓を同時に押すと画面消失のコマンドとなり、その後、同じ操作をすると、もとの画面にもどるように設定する。
【００６６】ついで、ＢＡＣＫＳＰＡＣＥ鍵と→を同時に打鍵するとＤＥＬＩＴＥ、ＢＡＣＫＳＰＡＣＥ鍵と←を同時に押すとＥＳＣＡＰＥのコマンドとなるように設定する。
【００６７】英文（数字）和文切り替え鍵と→を同時に打鍵すると、現在設定されているコマンド表と同レベルのコマンド表に等位移動し、英文（数字）和文切り替え鍵と←を同時に打鍵すると、直前に設定されていた現在設定されているコマンド表と同レベルのコマンド表に等位帰還し、和文切り替え鍵と↑を同時に打鍵すると、現在設定されているコマンド表の上のレベルのコマンド表にもどり、和文切り替え鍵と↓を同時に打鍵すると強制終了する。
【００６８】この小型鍵盤入力電子機器の場合も、パーソナルコンピューターと同じように、電源を入れると基本的なコマンド鍵盤がまず現れる。
【００６９】本発明においては、この段階で基本鍵盤の数字入力部分に対応する１０個の鍵に、Ｆ１からＦ１０までのＦ鍵を設定する。
【００７０】ついで、基本鍵盤の字母入力部分の１５の鍵に、ＷＩＮＤＯＷＳの初期画面のなかから、はじめに、ＭＥＤＩＡＰＬＡＹＥＲ，ＥＸＥＬ，すべてのプログラム、管理人、ドキュメント、ピクチャ、ミュージック、ゲーム、コンピューター、コントロールパネル、鍵盤コマンド、エクスプローラ、インタネットエクスプローラ、ヘルプとサポート、の１５鍵を設定する。
【００７１】ここでは、パーソナルコンピューターと比べて鍵数の少ない小型電子機器の特性に合わせて、鍵盤に設定する項目を減らしているが、これは、残った項目を設定する鍵盤をこの鍵盤と等位の鍵盤として設定して、英文（数字）和文切り替え鍵と→を同時に打鍵すると、現在設定されているコマンド表と同レベルのコマンド表に等位移動するという技法を使うことによって解決できるので、電子辞書を常駐させた場合には、この電子辞書を呼び出す鍵をこのどちらかの鍵盤に設定することができる。
【００７２】ついで、たとえばこの場面でコンピューターの鍵を選んで打鍵すれば、パーソナルコンピューターの場合と同様に整理、システムのプロパティ、プログラムのアンインストールと変更、ネットワークドライブの割り当て、コントロールパネルを開く、ハードディスクドライブ、データ、リムーバル記憶域があるデバイス、等のコマンドを実行する鍵が現れる。
【００７３】ついで、たとえばここでリムーバル記憶域があるデバイス、を選んで呼び出せば、整理、開く、書き込む、新しいフォルダ、の各鍵とともに、このデバイスに現在保存されているフォルダやファイルを呼び出す鍵が示される。
【００７４】以下、これらのフォルダやファイルを呼び出す鍵を打鍵することによって、パーソナルコンピューターと基本的に同一の手順で小型電子機器の入力が可能になる。
【００７５】この字母入力が実現した時点で、画面からコマンド鍵盤の画像が消えるように設定する。
【００７６】これは、３行５列の鍵盤においては、画面の大きさが限られているため、コマンド鍵盤の表示が字母、記号の入力の妨げになるからである。
【００７７】そこで、字母記号入力中にコマンドを出すことが必要になった場合は、コマンドシフトコマンド鍵を打鍵することによって、一旦画面から消え去っていたコマンド鍵盤を呼び出すように設定する。
【００７８】そして、このコマンド鍵盤、あるいは字母入力の段階でヴァーチャルな字母記号を入力するために呼び出される字母記号鍵盤は、通常の字母入力の妨げとならないように、半透明の形で現在入力中の文字記号鍵盤に重なる形で表示し、このコマンド鍵盤あるいは字母記号鍵盤による最終コマンドが実現した時点で、再び画面から消え去るように設定する。
【００７９】この半透明の形でコマンド鍵盤を表示する技法は、パーソナルコンピューターの場合にも使用することができる。
【図面の簡単な説明】
【００８０】
【図１】「図１」は、本発明の提唱する３行５列の鍵盤入力電子機器の基本的な字母入力鍵盤における入力字母とコマンドの配置の示意図である。
【００８１】
【図２】「図２」は、本発明の提唱する３行５列の鍵盤入力電子機器のヴァーチャルなコマンド鍵盤における入力コマンドの配置の示意図である。
【００８２】
【図３】「図３」は、本発明の提唱する３行５列の鍵盤入力電子機器のヴァーチャルなコマンド鍵盤における入力コマンドの配置の展開を示す示意図である。
【発明を実施するための形態】
【００８３】パーソナルコンピューター、携帯電話、電子辞書、各種コントローラー等。
【産業上の利用可能性】
【００８４】本発明は、画面入力電子機器の入力方式を、鍵盤入力の体系に取り込むことによって、従来の鍵盤入力電子機器に勝る入力操作性を実現した。【００８５】本方式は、入力操作が非定型的で、相対的に不安定な鍵盤画面へのタッチによる入力を採用する方式に対して、その不安定性を解消するとともにコマンドの入力速度を加速する働きを持っており、さらに各種のコマンドがコマンド鍵盤の立体的構成を通じてなされるために、従来の画面入力コマンドでは不明確な面があったコマンドの体系をより自覚的に構成することが可能になる。【００８６】とりわけ、本発明の３行５列の鍵盤を持つ鍵盤入力による小型電子機器の場合には、従来のスマホ等の入力操作性を大きく拡張する従来のパーソナルコンピューターに近い、あるいは凌駕する操作性を獲得している。【００８７】そこで、本発明をこの前記特許文献の日本語、中国語、西欧諸言語の入力方式と組み合わせることによって、小型の鍵盤入力電子機器によって従来のパーソナルコンピューターと同様の実用性を持って、日本語入力のみならず諸外国言語の入力をもあわせて行うことが可能になる。【００８８】ここから予想されることは、本方式は、第一に、従来の携帯電話やスマホに比して、その有効機能の範囲を拡大することによって、携帯鍵盤入力電子機器の利用者と利用の局面の拡大をもたらすことである。【００８９】第二に、従来は一定の大きさを持ったパーソナルコンピューターを通じて、したがって、一定の場所的、あるいは場合によっては、一定の時間的制約のもとで行われていたデータ検索や情報交換が、そうした制約を脱して、ユーザーに密着した形で、かつてのペンや鉛筆を使用した手帳や手紙による情報処理が格段に効率化した形で日常的に行われる可能性を与える。【００９０】こうして、パーソナルコンピューターとは異なって、本発明による携帯入力鍵盤入力電子機器とりわけ携帯電話は時間と場所の制約を脱して、日常的情報交換を可能にする。【００９１】以上のように、本発明は、従来の産業構造や人間関係の変貌をもたらす可能性を秘めている。
【図１】
2019146138.tif 000005
【図２】
2019146138.tif 000006
【図３】
2019146138.tif 000007
【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
鍵盤入力のパーソナルコンピューターおよび携帯入力電子機器において、入力すべき記号あるいはコマンドを、１鍵に１コマンドを設定した現実の鍵盤の形及び１鍵に１記号を設定した現実の鍵盤の形を切り替えて、画面に表示し、その鍵に対応する現実の鍵盤の鍵を打鍵することによって、そのコマンドあるいは記号を入力する鍵盤入力電子機器の入力方式。
【請求項２】
請求項１に記載の鍵盤入力のパーソナルコンピューターおよび携帯入力電子機器の現実の鍵盤は、パーソナルコンピュータ−においては３行１０列、携帯入力電子機器においては３行５列である。
【請求項３】
請求項１に記載の鍵盤入力のパーソナルコンピューターおよび携帯入力電子機器において、新しいコマンド鍵盤を呼び出すコマンドを入力すると、そのコマンド鍵盤が呼び出される。
【請求項４】
請求項１に記載の鍵盤入力のパーソナルコンピューターおよび携帯入力電子機器において、記号鍵盤を呼び出すコマンドをＮ回入力するとＮ番目の記号鍵盤が呼び出される。
【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
鍵盤入力のパーソナルコンピューターおよび携帯入力電子機器において、入力すべき記号あるいはコマンドを、１鍵に１コマンドを設定した現実の鍵盤の形及び１鍵に１記号を設定した現実の鍵盤の形を切り替えて、画面に表示し、その鍵に対応する現実の鍵盤の鍵を打鍵することによって、そのコマンドあるいは記号を入力する鍵盤入力電子機器の入力方式。
【請求項２】
請求項１に記載の鍵盤入力のパーソナルコンピューターおよび携帯入力電子機器の現実の鍵盤は、パーソナルコンピューターにおいては３行１０列、携帯入力電子機器においては３行５列である。
【請求項３】
請求項１に記載の鍵盤入力のパーソナルコンピューターおよび携帯入力電子機器は、コマンドを入力すると、そのコマンドに属する下位のコマンド鍵盤が呼び出され，さらにこのコマンド鍵盤のコマンドを入力するとさらにそのコマンドに属する下位のコマンド鍵盤が呼び出される形で重層的なコマンド体系を持つ。
【請求項４】
請求項１に記載の鍵盤入力のパーソナルコンピューターおよび携帯入力電子機器において、記号鍵盤を呼び出すコマンドをＮ回入力するとＮ番目の記号鍵盤が呼び出される。
【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
字母記号およびコマンド入力のための現実の鍵盤を備えた鍵盤入力のパーソナルコンピューターおよび携帯入力電子機器において、入力すべき記号あるいはコマンドを、１鍵に１コマンドを設定した前記現実の鍵盤の形及び１鍵に１記号を設定した前記現実の鍵盤の形を切り替えて、ヴァーチャル鍵盤として画面に表示し、前記ヴァーチャル鍵盤の鍵に対応する前記現実の鍵盤の鍵を打鍵することによって、そのコマンドあるいは記号を入力するように構成され、
前記鍵盤入力のパーソナルコンピューターおよび携帯入力電子機器は、所定のコマンドに属する下位のコマンド鍵盤が呼び出され、さらに前記下位のコマンド鍵盤のコマンドを入力するとさらにそのコマンドに属する下位のコマンド鍵盤が呼び出される形で重層的なコマンド体系を備え、前記ヴァーチャル鍵盤は、前記呼び出されたコマンド鍵盤を表示し、最終コマンドが実現した時点で前記画面から消えるように構成される、
鍵盤入力電子機器の入力方式。
【請求項２】
前記鍵盤入力のパーソナルコンピューターおよび携帯入力電子機器の前記現実の鍵盤は、パーソナルコンピューターにおいては３行１０列、携帯入力電子機器においては３行５列である、請求項１に記載の鍵盤入力電子機器の入力方式。
【請求項３】
前記鍵盤入力のパーソナルコンピューターおよび携帯入力電子機器において、記号鍵盤を呼び出すコマンドをN回入力するとN番目の記号鍵盤が呼び出される、請求項１に記載の鍵盤入力電子機器の入力方式。